(57)【要約】      （修正有）【課題】書類に折り目をつけることなく折りたたんで持ち運ぶことのできる書類ホルダーを提供する。【解決手段】クリアファイル５を、折り目をつけることなく折り曲げた折曲げ部分５ａの曲率以上の曲率を有する弯曲部３１を含み、折曲げ部分５ａの一部又は全部に対して折曲げ部分５ａの外方から弯曲部３１を当接させるホールド部と、ホールド部の弯曲部３１両端において、クリアファイル５の折曲げ部分５ａ以外の部位を弾性力によって挟持する挟持部３ａ，３ｂとを備える。ホールド部の弯曲部３１と反対側の部位に接続され、折曲げ部分５ａに弯曲部３１を当接させた状態において、折曲げ部分５ａに沿ってクリアファイル５の端部まで延設される主軸部１と、主軸部１のクリアファイル５の端部に対応する部位から、弯曲部３１に臨ませて延設されるクリップ部２とをさらに備える。【選択図】図１
0003219889.tif 000002
【実用新案登録請求の範囲】
【請求項１】
可撓性を有する材質のシート状部材を保持する書類ホルダーであって、
前記シート状部材を、折り目をつけることなく折り曲げた折曲げ部分の曲率以上の曲率を有する弯曲部を含み、前記折曲げ部分の一部又は全部に対して、前記折曲げ部分の外方から前記弯曲部を当接させるホールド部と、
前記ホールド部の前記弯曲部両端において、前記シート状部材の折曲げ部分以外の部位を弾性力によって挟持する挟持部と
を備えることを特徴とする書類ホルダー。
【請求項２】
前記ホールド部の前記弯曲部と反対側の部位に接続され、前記折曲げ部分に前記弯曲部を当接させた状態において、前記折曲げ部分に沿って前記シート状部材の端部まで延設される主軸部と、
前記主軸部の前記シート状部材の端部に対応する部位から、前記弯曲部に臨ませて延設されるクリップ部と
をさらに備えることを特徴とする請求項１に記載の書類ホルダー。
【請求項３】
前記クリップ部の先端に取り付けられて前記ホールド部内に位置され、前記弯曲部の曲率よりも小さい曲面を有し、前記弯曲部と対向配置される内部ホールド部をさらに備えることを特徴とする請求項２に記載の書類ホルダー。
【請求項４】
前記内部ホールド部は、前記クリップ部の弾性力によって前記弯曲部に押圧されることを特徴とする請求項３に記載の書類ホルダー。
【請求項５】
前記ホールド部と挟持部とが一体的に形成されていることを特徴とする請求項１に記載の書類ホルダー。
【請求項６】
前記主軸部が前記ホールド部に対して着脱自在に構成されていることを特徴とする請求項２に記載の書類ホルダー。
【考案の詳細な説明】
【技術分野】
【０００１】
この考案は、紙やクリアファイルなど可撓性を有する材質のシート状部材を保持する書類ホルダーに関し、特にシート状部材に折り目をつけることなく折りたたんで保持できる書類ホルダーに関する。
【背景技術】
【０００２】
従来、複数枚の書類などをまとめておくようなときに、書類に穴をあけずに綴じることのできる表紙付きの書類ホルダーが用いられる。このような書類ホルダーとして、特許文献１に示す「ファイル」が知られている。このファイルにおいては、表表紙に切り込みを入れて形成した綴じ込み舌片を設けるとともに、この舌片と裏表紙との相対面に凹凸面を形成し、この凹凸面の間に挿入された書類を、綴じ込み舌片と裏表紙とを介してクリップで挟み、このクリップの弾性復元力を利用して摩擦力によって挟持するよう構成している。
【先行技術文献】
【特許文献】
【０００３】
【特許文献１】特開平１０−３３７９８７号公報
【考案の開示】
【考案が解決しようとする課題】
【０００４】
ところが、近年ではＡ４サイズの書類が一般的となり、これをクリップで挟みまとめて閉じても、持ち運ぶには大きすぎ鞄などの収納具に収まらないことも多い。通常、このような場合には、書類に折り目をつけて折りたたみ、コンパクトにして鞄に収納するようなことが行われている。しかしながら、書類によっては折り目をつけたくない場合も多く、このような場合には大きめの鞄を用意して、それに入れて持ち運ぶしかなかった。
【０００５】
この考案は、このような従来技術における問題点を解決し、紙やクリアファイルなど可撓性を有する材質のシート状部材を保持する際に、書類に折り目をつけることなく折りたたんで持ち運ぶことのできる書類ホルダーを提供することを目的とする。
【課題を解決するための手段】
【０００６】
上記課題を解決するために、本考案は、可撓性を有する材質のシート状部材を保持する書類ホルダーであって、折り目をつけることなくシート状部材を折り曲げた折曲げ部分の曲率以上の曲率を有する弯曲部を含み、折曲げ部分の一部又は全部に対して、折曲げ部分の外方から弯曲部を当接させるホールド部と、ホールド部の弯曲部両端において、シート状部材の折曲げ部分以外の部位を弾性力によって挟持する挟持部とを備える。
【０００７】
なお、上記考案において、ホールド部の弯曲部と反対側の部位に接続され、折曲げ部分に弯曲部を当接させた状態において、折曲げ部分に沿ってシート状部材の端部まで延設される主軸部と、主軸部のシート状部材の端部に対応する部位から、弯曲部に臨ませて延設されるクリップ部とをさらに備えることが好ましい。
【０００８】
また、上記考案において、クリップ部の先端に取り付けられてホールド部内に位置され、弯曲部の曲率よりも小さい曲面を有し、弯曲部と対向配置される内部ホールド部をさらに備えることが好ましい。内部ホールド部は、クリップ部の弾性力によって弯曲部に押圧されることが好ましい。さらに、上記考案において、ホールド部と挟持部とが一体的に形成されていることが好ましい。上記考案において、主軸部がホールド部に対して着脱自在に構成されていることが好ましい。
【考案の効果】
【０００９】
このような本考案では、書類等の紙やクリアファイルなど可撓性を有する材質のシート状部材を保持する際、シート状部材の折曲げ部分の外方から弯曲部を当接させるとともに、ホールド部両端の挟持部によって、シート状部材の折曲げ部分以外の部位を弾性力によって挟持する。このとき弯曲部は、折曲げ部分の曲率以上の曲率を有するため、折曲げ部分を圧迫することがなく、シート状部材に折り目がついたり、皺ができるのを回避しつつ挟持部によって挟持することができる。併せて、使用状態においてホールド部は折曲げ部分の一部又は全部を覆うように配置されるため、折曲げ部分を保護することとなり、外力によってシート状部材に折り目がついたり、皺ができるのを防止できる。この結果、本考案に係る書類ホルダーによれば、シート状部材に折り目をつけることなく折りたたんでコンパクトに保持することができ、Ａ４サイズやそれ以上のサイズの書類やクリアファイルなども容易に持ち運ぶことができる。
【図面の簡単な説明】
【００１０】
【図１】実施形態にかかる書類ホルダー１０の斜視図である。
【図２】実施形態にかかる書類ホルダー１０の斜視図である。
【図３】実施形態にかかる書類ホルダー１０の上面図である。
【図４】実施形態にかかる書類ホルダー１０の使用状態を示す説明図である。
【図５】実施形態にかかる書類ホルダー１０の使用状態を示す説明図である。
【図６】変更例にかかる書類ホルダー２０の斜視図である。
【図７】変更例にかかる書類ホルダー２０の上面図である。
【図８】変更例にかかる書類ホルダー２０の斜視図である。
【考案を実施するための形態】
【００１１】
（書類ホルダーの全体構成）
以下に添付図面を参照して、本考案に係る書類ホルダーの実施形態を詳細に説明する。本実施形態では、本考案の書類ホルダーを用いてシート状部材であるクリアファイル５を保持する場合を例に説明する。なお、以下に示す実施の形態は、この考案の技術的思想を具体化するための書類ホルダー等を例示するものであって、この考案の技術的思想は、各構成部品の材質、形状、構造、配置等を下記のものに特定するものでない。この考案の技術的思想は、実用新案登録請求の範囲において、種々の変更を加えることができる。
【００１２】
図１〜図３は、本実施形態にかかる書類ホルダー１０の全体構成を示す図である。本実施形態にかかる書類ホルダー１０は、主軸部１と、主軸部１に接続されたクリップ部２と、折り曲げた状態のシート状部材であるクリアファイル５を保持するホールド部３とから概略構成される。
【００１３】
クリアファイル５は、本考案の書類ホルダーを用いて保持する対象であり、可撓性を有する材質のシート状部材である。具体的に、このクリアファイル５は、プラスチックで成形された書類整理用の文具であり、薄いシートを２枚組み合わせて縦横の一辺ずつを熱溶着して簡易的な袋状に形成し、２枚のシートの間に書類やプリント等を収納する。本実施形態では、このクリアファイル５に紙製の書類などを挟んだうえで、折り目がつかないように半分に折り曲げた状態で、書類ホルダー１０によって保持する。ここでシート状部材としては、このクリアファイル５の他、書類や地図等の紙、布、皮革など、折り曲げることができるものすべてが含まれる。
【００１４】
ホールド部３は、クリアファイル５の折曲げ部分５ａの曲率以上の曲率を有する弯曲部３１を含み、折曲げ部分５ａの一部又は全部に対して、折曲げ部分５ａの外方から弯曲部３１を当接させる部材である。本実施形態においてこのホールド部３は、クリアファイル５の折曲げ部分５ａの背部分に外方から当接される弯曲部３１と、弯曲部３１の両端においてクリアファイル５の折曲げ部分５ａ以外の部位を挟持する挟持部３ａ，３ｂとから構成される。
【００１５】
弯曲部３１は、クリアファイル５を折り目をつけることなく折り曲げた折曲げ部分５ａの曲率以上の曲率を有する部分であり、本実施形態では、挟持部３ａ，３ｂの間に形成され、ホールド部３０の一部として挟持部３ａ，３ｂとともに一体的に形成されている。なお、この弯曲部３１を形成する部材としては、面状の部材に限らず、本実施形態のようにワイヤー部材も含まれる。
【００１６】
挟持部３ａ，３ｂは、ホールド部３０の弯曲部３１両端において、クリアファイル５の折曲げ部分５ａ以外の部位を弾性力によって挟み込んで保持する部材であり、本実施形態では、ワイヤー部材等の金属を折り曲げてハート型に成形した一対の挟持部３ａ，３ｂが弯曲部３１を挟んで形成されている。言い換えるとこのホールド部３は、弯曲部３１の両翼に一対の挟持部３ａ，３ｂが配置されており、一方の挟持部３ａ（３ｂ）から弯曲部３１を経て他方の挟持部３ｂ（３ａ）へ至る水平断面形状が、図３に示すような略Ｕ字形をなしており、折り目がつかないように折りたたまれたクリアファイル５がこの一対の挟持部３ａ，３ｂの間に挟持されるようになっている。
【００１７】
なお、このホールド部３は、本実施形態ではワイヤーを折り曲げて形成したが、本考案はこれに限定されるものではなく、プラスチック成形などによって形成してもよい。また、このホールド部３０は、本実施形態では、折曲げ部分５ａの一部のみを覆う形態としたが、折曲げ部分５ａ全体を覆うような大きさ及び形状としてもよい。
【００１８】
一方、主軸部１は、ホールド部３０の弯曲部３１と反対側の部位に接続され、折曲げ部分５ａに弯曲部３１を当接させた状態において、折曲げ部分５ａの背表紙部分に沿ってクリアファイル５の端部まで延設される棒状の部材である。本実施形態では、この主軸部１はホールド部３０と一体的に形成するが、主軸部１をホールド部３０に対して着脱自在に構成するようにしてもよい。
【００１９】
クリップ部２は、主軸部１のクリアファイル５の端部に対応する部位から、弯曲部３１に臨ませて延設される部材であり、主軸部１に接続部分付近は山形に弯曲され、中途から主軸部１と平行な直線状となっている。このクリップ部２は、その山形に弯曲された部分の弾性力によって、先端の内部ホールド部４が、弯曲部３１に押圧されるようになっている。この内部ホールド部４は、クリップ部２の先端に取り付けられてホールド部３内に位置されるとともに、弯曲部３１の曲率よりも小さい曲面を有し、弯曲部３１と対向配置される部材であり、本実施形態では、球形をなしている。この内部ホールド部４の形状としては、球形の他、筒状や弯曲した板状などとすることができる。
【００２０】
（使用方法）
以上説明した書類ホルダーの使用方法について説明する。図４及び図５は、書類ホルダー２０の使用状態を示す説明図である。図４に示すように、折り目をつけることなくシート状部材を折り曲げ、その折曲げ部分５ａの背部外側に主軸部１が来るように折曲げ部分５ａ内に内部ホールド部４及びクリップ部２を差し込むとともに、ホールド部３両端の挟持部３ａ，３ｂによって、クリアファイル５の折曲げ部分５ａ以外の部位を弾性力によって挟持する。そして、図５に示すように、クリップ部２後端（主軸部１との接続部分）がクリアファイル５の端部に突き当たるまで、内部ホールド部４及びクリップ部２を差し込む。これにより、クリアファイル５の中央に弯曲部３１及び内部ホールド部４が位置されることとなり、弯曲部３１が、折曲げ部分５ａの背部に外方から当接させる。これにより、ホールド部３両端の挟持部３ａ，３ｂによって、折曲げ部分５ａを圧迫することなく、クリアファイル５を保持することができる。
【００２１】
（変更例）
なお、以上説明した実施形態は、本考案の一例である。このため、本考案は上述した実施形態に限定されることなく、本考案に係る技術的思想を逸脱しない範囲であれば、設計等に応じて種々の変更が可能である。
【００２２】
例えば、上記ホールド部３の形状を、図６〜図８に示す書類ホルダー２０のホールド部３０のように、水平断面Ｃ字状の部材としてもよい。この本変更例に係るホールド部３０も、上記実施形態と同様に、折曲げ部分５ａの曲率以上の曲率を有する弯曲部３１を含み、折曲げ部分５ａの一部に対して折曲げ部分の外方から当接される弯曲部３１を有する。また、このホールド部３０にはスリット３ｃが形成されており、このスリット３ｃを挟むように、ホールド部３０の弯曲部３１両端に、クリアファイル５の折曲げ部分５ａ以外の部位を弾性力によって挟持する挟持部３ａ，３ｂが位置される。
【００２３】
このような本変更例に係る書類ホルダー２０は、クリアファイル５を、折り目をつけることなく折り曲げ、その折曲げ部分５ａの背部外側に主軸部１が来るように折曲げ部分５ａ内に内部ホールド部４及びクリップ部２を差し込む。このとき、クリアファイル５の折曲げ部分５ａ以外の部位をスリット３ｃに差し込むようにして、挟持部３ａ，３ｂでクリアファイル５の折曲げ部分５ａ以外の部位を弾性力によって挟持する。そして、クリップ部２後端（主軸部１との接続部分）がクリアファイル５の端部に突き当たるまで、内部ホールド部４及びクリップ部２を差し込む。これにより、クリアファイル５の中央に弯曲部３１及び内部ホールド部４が位置されることとなり、弯曲部３１が、折曲げ部分５ａの背部に外方から当接させる。これにより、ホールド部３両端の挟持部３ａ，３ｂによって、折曲げ部分５ａを圧迫することなく、クリアファイル５を保持することができる。
【００２４】
（作用・効果）
以上説明した本実施形態及び変更例に係る書類ホルダーによれば、書類等の紙やクリアファイルなど可撓性を有する材質のクリアファイル５を保持する際、クリアファイル５を、折り目をつけることなく折り曲げた折曲げ部分５ａの外方から弯曲部３１を当接させるとともに、ホールド部３両端の挟持部３ａ，３ｂによって、クリアファイル５の折曲げ部分５ａ以外の部位を弾性力によって挟持する。弯曲部３１は、折曲げ部分５ａの曲率以上の曲率を有するため、折曲げ部分５ａを圧迫することがなく、クリアファイル５に折り目がついたり、皺ができるのを回避しつつ挟持部３ａ，３ｂによって挟持することができる。
【００２５】
併せて、使用状態においてホールド部３は折曲げ部分５ａの一部又は全部を覆うように配置されるため、折曲げ部分５ａを保護することとなり、外力によってクリアファイル５に折り目がついたり、皺ができるのを防止できる。この結果、本実施形態及び変更例に係る書類ホルダーによれば、クリアファイル５に折り目をつけることなく折りたたんでコンパクトに保持することができ、Ａ４サイズやそれ以上のサイズの書類やクリアファイルなども容易に持ち運ぶことができる。
【００２６】
特に、本実施形態及び変更例では、折曲げ部分５ａに沿ってクリアファイル５の端部まで延設される主軸部１を設け、弯曲部３１内に臨ませてクリップ部２を延設しているため、クリアファイル５をホールド部３によって挟持させた状態でクリップ部２によって折曲げ部分５ａを引っ掛けることができ、ホールド部３が折曲げ部分５ａから外れてしまうのを防止でき、より安定してクリアファイル５を保持することができる。
【００２７】
また、クリップ部２の弯曲部３１側先端には内部ホールド部４がホールド部３内に位置するように設けられ、この内部ホールド部４は弯曲部３１の曲率よりも小さい曲面を有し、ホールド部３内において弯曲部３１と対向配置されることから、ホールド部３において折曲げ部分５ａを内側から支えることができ、折曲げ部分５ａが外力によって潰れてしまうのを防止できる。また、内部ホールド部４は、クリップ部２の弾性力によって弯曲部３１に押圧されて押し当てられるようになっていることから、内部ホールド部４と弯曲部３１とで折曲げ部分５ａを挟持することができ、クリアファイル５がクリップ部２から抜け落ちてしまうのを防止できる。
【符号の説明】
【００２８】
１…主軸
２…クリップ部
３…ホールド部
３ａ，３ｂ…挟持部
３ｃ…スリット
４…内部ホールド部
５…クリアファイル
５ａ…折曲げ部分
１０…書類ホルダー
２０…書類ホルダー
３０…ホールド部
３１…弯曲部
【図１】
0003219889.tif 000003
【図２】
0003219889.tif 000004
【図３】
0003219889.tif 000005
【図４】
0003219889.tif 000006
【図５】
0003219889.tif 000007
【図６】
0003219889.tif 000008
【図７】
0003219889.tif 000009
【図８】
0003219889.tif 000010